(57)【要約】【課題】  焼却排ガスをクリーンな状態で系外へ排出することを可能とする小型の小動物火葬用焼却炉の提供【解決手段】  一次燃焼炉と、この一次燃焼炉の下流に設けた二次燃焼炉と、二次燃焼炉の下流にあって、灰塵類を含む排ガスを焼却炉内で循環処理する為にバイパスによって前述一次燃焼室とも繋がる灰塵分離装置とを一体的に配設してなる小動物火葬用焼却炉。【選択図】図２
2012002487.tif 000002
【特許請求の範囲】
【請求項１】
一次燃焼室と、この一次燃焼室の下流に設けた
二次燃焼室と、二次燃焼室の下流にあって、灰塵類を含む排ガスを焼却炉内で循環処理する為にバイパスによって前述一次燃焼室とも繋がる灰塵分離装置とを一体的に配設してなる小動物火葬用焼却炉。
【請求項２】
燃焼室及び／又は灰麈分離装置の壁の外周にエアジャケットを設けると共に、当該壁には、エアジャケット内の空気の一部を取り込む為の噴射ノズルが設けられていることを特徴とする請求項１に記載の小動物火葬用焼却炉。
【請求項３】
噴射ノズルが、ベルヌーイ効果を発現する形状であることを特徴とする請求項２に記載の小動物火葬用焼却炉。
【請求項４】
灰塵分離装置がサイクロンであることを特徴とする請求項１、２又は３のいずれかに記載の小動物火葬用焼却炉。
【発明の詳細な説明】
【技術分野】
【０００１】  本発明は、犬・猫等のペット類やラット・マウス・モルモット等の実験用動物（以下、小動物と称する）の遺体を焼却するのに適した軽トラック等の荷台にも搭載可能な小型焼却炉に係り、更に詳しくは、焼却排ガスをクリーンな状態で系外へ排出することを可能とする作業者等の健康や環境に配慮した小動物火葬用焼却炉に関する。
【背景技術】
【０００２】  今日、ペットとして飼われている犬・猫は子供の数より多く２２３４万頭にも上るといわれている（ペットフード協会’０９推計）。これらペット類の飼育者は、その動物に対し人に劣らぬ愛情を有し、その死後丁重に弔うことを希望する人が多い。しかしながら、現在、その要望に応える専門の施設（寺社・火葬場）が少なく、やむなく、地方自治体の清掃局等に依頼して一般の家庭ゴミと同様に処理して貰わざるを得ず、親身になって供養してやれなかったことへの自責の念にかられることが多いという。【０００３】  このような時代背景から、移動車両上に焼却炉を搭載したペット用移動火葬車が注目されている。例えば、下記特許文献１は動物用火葬車の焼却炉として、バーナーを備えた一次燃焼室と、この一次燃焼室の上方に熱を蓄積して放射熱及び高温空気の過流を発生させる為のスタビライザーを組込んだ二次燃焼室とを備えたダイオキシンの生成を抑制し得る焼却炉を提案している。【０００４】
【特許文献１】  特開平１１−３０４１１７号  公報
【発明の開示】
【発明が解決しようとする課題】
【０００５】  しかしながら、上述した特許文献１に記載の焼却炉は灰塵を含む燃焼排ガスを直接系外に排出する構造故え、環境汚染の面でも、又、焼却処理に携わる作業者や火葬列席者らが灰塵を吸い込む等健康の面からも好ましくないものである。【０００６】  本発明は、上記問題に鑑み、作業者や火葬列席者に対する健康面や環境に配慮した小動物火葬用焼却炉の提供を目的とするものである。
【課題を解決するための手段】
【０００７】  上記目的を達成する為の本発明の請求項１に記載の小動物火葬用焼却炉は一次燃焼室と、この一次燃焼室の下流に設けた二次燃焼室と、二次燃焼室の下流にあって、灰塵類を含む排ガスを焼却炉内で循環処理する為にバイパスによって前記一次燃焼室とも繋がる灰塵分離装置とを一体的に配設していることを特徴とする。【０００８】  本発明の請求項２に記載の小動物火葬用焼却炉は、前記請求項１に記載の焼却炉において、燃焼室及び／又は灰塵分離装置の壁の外周にエアジャケットを設けると共に、当該壁にはエアジャケット内の空気の一部を取り込む為の噴射ノズルが設けられていることを特徴とする。【０００９】  本発明の請求項３に記載の小動物火葬用焼却炉は、請求項２に記載の焼却炉において、噴射ノズルがベルヌーイ効果を発現する形状であることを特徴とする。【００１０】  本発明の請求項４に記載の小動物火葬用焼却炉は、請求項１、２又は３いずれかに記載の焼却炉において、灰塵分離装置がサイクロンであることを特徴とする。
【発明を実施するための形態】
【００１１】  以下、本発明の実施の形態を図面に基づいて説明する。図１は、本発明の小動物火葬用焼却炉の一実施形態を示す断面図である。図中１はオイル又はガスバーナーの火陥によってペット等の動物の遺体を燃焼する為の一次燃焼室である。３は、一次燃焼室１の下流にあり、オイル又はガスバーナー４の火焔によって一次燃焼室での末燃焼物又は不完全燃焼物を更に完全に燃焼する為の二次燃焼室である。５は二次燃焼室の下流にあって、二次燃焼室からの燃焼ガス中の灰塵類を分離し、クリーンな排ガスとしてダクト７から系外へ排出する為のサイクロン等の灰塵分離装置である。灰塵分離装置５と一次燃焼室１とはバイパス６によって接続されている。灰塵分離装置で分離された末燃焼物や灰塵等の固形物は一次燃焼室に戻され、再燃焼処理されるようになっている。尚、燃焼室や灰塵分離装置の壁１１は高温度に耐える、例えば、耐火コンクリート等の耐火材によって構成される。
【００１２】  図１中、Ａ１〜Ａ３は火葬に際して出る灰塵・ダイオキシンを含む排ガスの巡回経路である。排ガスをＡ１〜Ａ３循環させることでより完全な燃焼を行うことが出来ると共に、短時間に所定の温度に燃焼室の温度を上げることができ、火葬効率的にも優れるものである。
【００１３】  図２は、本発明の小動物火葬用焼却炉の別の実施形態を示す断面図である。又、図３は、図２に示す焼却炉の斜視図である。送風機９によって内部に空気が満されるエアジャケット８が燃焼室の壁１１の外周に設けられている。エアジャケット８は火葬時の高温度にある焼却炉からの系外への放熱を遮断する役割を有すると共に、後述の燃焼に必要な空気を燃焼室内に供給する為の空気供給源として利用するものである。尚、灰塵分離装置からの放熱の遮断を必要とする場合には、図２、図３に示す如く送風ダクト１２を介してエアジャケット８´に空気が送られるようにすれば良い。１０は燃焼室や灰塵分離装置の壁１１に設けられた噴射ノズルである。噴射ノズル１０は燃焼に必要な空気をエアジャケット８．８´から取り込むと共に、燃焼室や灰塵分離装置内の燃焼効率を上げ、温度上昇も抑制するものである。噴射ノズルの形状は特に限定されないが、図４は本発明の噴射ノズルの一実施形態を示す断面図であり、パイプの先端を細かくして空気の流速を増加せしめるベルヌーイ効果を有するもの、例えば、口径２１〜２３ｍｍのパイプの先端を細かくしたものが好ましい。又、噴射ノズルの付設は焼却炉の大きさ等によって決めれば良いが、通常、壁面１ｍ２当たり５ケ所以上である。尚、付設方法としては、図４に示す如く、エアジャケットを構成する鉄板等の金属板の内壁１４に噴射ノズル１３を固定し、車の移動時の振動や燃焼炉の壁材の劣化による壁とのズレや脱落を防止する。
【００１４】  図５、図６は本発明の小動物火葬用焼却炉の外観斜視図である。図中、１５は一次燃焼室本体を示す。又、１６は二次燃焼室本体を示す。１７はペット等の遺体を一次燃焼室に搬入する為の扉である。１８は火葬中遺体の焼却状態を監視・点検する為の覗き窓である。覗き窓１８からの情報により、必要なら、送風機９のダンパー（図示せず）により風量を調節したり、バーナー２、４の火力を調整し、効率良く遺体を火葬処理する。
【産業上の利用可能性】
【００１５】  本発明の小動物火葬用焼却炉は、一次燃焼室と、二次燃焼室および灰塵分離装置を一体的に配設することで小型化と共に焼却排ガスをよりクリーンな状態で系外へ排出することを可能としたので、作業者や火葬列席者の健康面を配慮したペット類等の車載式の火葬炉として用途に好適である。
【図面の簡単な説明】
【００１６】
【図１】本発明の小動物火葬用焼却炉の一実施形態を示す断面図である。
【図２】本発明の小動物火葬用焼却炉の別の実施形態を示す断面図である。
【図３】図２に示す焼却炉の斜視図である。
【図４】本発明の噴射ノズルの一実施形態を示す断面図である。
【図５】本発明の小動物火葬用焼却炉の外観斜視図である。
【図６】本発明の小動物火葬用焼却炉の別方向からの外観斜視図である。
【符号の説明】
【００１７】１・・・・・・・・・一次燃焼室
３・・・・・・・・・二次燃焼室
５・・・・・・・・・灰塵分離装置
６・・・・・・・・・バイパス
８・・・・・・・・・エアジャケット
１０、１３・・・・・・噴射ノズル
１４・・・・・・・・・エアジャケット内壁
【図１】
2012002487.tif 000003
【図２】
2012002487.tif 000004
【図３】
2012002487.tif 000005
【図４】
2012002487.tif 000006
【図５】
2012002487.tif 000007
【図６】
2012002487.tif 000008